(57)【要約】      （修正有）【課題】手を入れにくい所、例えば狭い所に落としたものや、直接手で掴むことのできないもの、例えば熱いものや汚れたものなどが磁石に吸着可能な金属部材である場合は、勿論その部材を拾い上げることができるが、金属部材ではなく非金属部材である場合や、金属部材であってもアルミなどの磁石に吸着しない部材である場合にも、その部材を拾い上げることができる捕捉工具を提供する。【解決手段】屈曲可能なフレキシブルチューブ１の先端に磁石２を設けると共に、この磁石２を通り越して磁石２の先端から出没自在とした摘み部材３を設けたものとしている。【選択図】図２
2005138196.tif 000002
【特許請求の範囲】
【請求項１】
屈曲可能なフレキシブルチューブ（１）の先端に磁石（２）を設けると共に、この磁石（２）を通り越して磁石（２）の先端から出没自在とした摘み部材（３）を設けたことを特徴とする捕捉工具。
【請求項２】
前記磁石（２）を円筒形状またはリング形状として、この磁石（２）の中心部を前記摘み部材（３）が挿通することにより、この磁石（２）を通り越すようにしたことを特徴とする請求項１記載の捕捉工具。
【請求項３】
前記摘み部材（３）を、フレキシブルチューブ（１）の後端に設けた操作部材（８）から、このフレキシブルチューブ（１）内を摺動可能に挿通するフレキシブルロッド（９）により遠隔操作して、摘み動作するようにしたことを特徴とする請求項１記載の捕捉工具。
【発明の詳細な説明】
【技術分野】
【０００１】
この発明は、手を入れにくい所に落としたり、直接手で掴むことのできない金属製、もしくは非金属性の小物を拾い上げることのできる捕捉工具に関するものである。
【背景技術】
【０００２】
従来、この種の捕捉工具は、例えば図７に示したように、把持部２１を有する屈曲可能なフレキシブルチューブ２２の先端に磁石部２３を設け、この磁石部２３の近くに照明部２４を設け、前記把持部２１に照明部２４を点灯消灯せしめるスイッチ２５を設け、手を入れにくい狭い所に落としたボルト、ナットや工具や組立部品などの前記磁石部２３に吸着可能な金属部材ａを磁石部２３に吸着して拾い上げることができるように設けたものとしている。
【０００３】
この捕捉工具は、以上のように構成しているので、図８に示したように、手を入れにくい狭い所に落としたボルト、ナットや工具や組立部品などの金属部材ａを、この金属部材ａの落下予想場所に、照明部２４で落下予想場所を照らしながらフレキシブルチューブ２２を導入し、発見した金属部材ａを磁石部２３に吸着して、フレキシブルチューブ２２を引き出すことにより簡単且つ的確に落下した金属部材ａを拾い上げることができ、実用性、作業性に優れたものとなっている（特許文献１）。
【特許文献１】特開平１０−２１７１５６号公報（第２、３頁、図１、２）
【発明の開示】
【発明が解決しようとする課題】
【０００４】
上記従来の捕捉工具は、手を入れにくい狭い所が暗い場合には、照明部２４でその個所を照らすことができるので、落とした金属部材ａを発見し易くなり、非常に便利なものとなる。
【０００５】
しかしながら、上記従来の捕捉工具は、手を入れにくい狭い所に落としたものが金属部材ではなく非金属部材である場合や、金属部材であってもアルミなどの磁石に吸着しない部材である場合には、磁石部２３に吸着せず、その部材を拾い上げることができないという問題点を有していた。
【０００６】
そこで、この発明は、上記従来の問題点を解決することをその課題としており、手を入れにくい所、例えば狭い所に落としたものや、直接手で掴むことのできないもの、例えば熱いものや汚れたものなどが磁石に吸着可能な金属部材である場合は、勿論その部材を拾い上げることができるが、金属部材ではなく非金属部材である場合や、金属部材であってもアルミなどの磁石に吸着しない部材である場合にも、その部材を拾い上げることができる捕捉工具を提供することを目的としてなされたものである。
【課題を解決するための手段】
【０００７】
そのため、この発明の捕捉工具は、屈曲可能なフレキシブルチューブ１の先端に磁石２を設けると共に、この磁石２を通り越して磁石２の先端から出没自在とした摘み部材３を設けたものとしている。
【０００８】
さらに、この発明の捕捉工具は、前記磁石２を円筒形状またはリング形状として、この磁石２の中心部を前記摘み部材３が挿通することにより、この磁石２を通り越すようにしている。
【０００９】
また、この発明の捕捉工具は、前記摘み部材３を、フレキシブルチューブ１の後端に設けた操作部材８から、このフレキシブルチューブ１内を摺動可能に挿通するフレキシブルロッド９により遠隔操作して、摘み動作するようにしている。
【発明の効果】
【００１０】
この発明の捕捉工具は、以上に述べたように構成されているので、手を入れにくい所に落としたり、直接手で掴むことのできないものが磁石に吸着可能な金属部材の場合は、磁石に吸着させることによりその部材を拾い上げることができ、手を入れにくい所に落としたり、直接手で掴むことのできないものが非金属部材である場合や、金属部材であってもアルミなどの磁石に吸着しない部材である場合には、摘み部材で摘むことによりその部材を拾い上げることができるものとなり、しかも捕捉工具の先端の磁石や摘み部材を嵩の低いものとすることができるので、非常に狭い所にも差し込むことができ、その非常に狭い所に落としたものを拾い上げることができるようになった。
【発明を実施するための最良の形態】
【００１１】
以下、この発明の捕捉工具を実施するための最良の形態を、図面に基づいて詳細に説明する。
【００１２】
この発明の捕捉工具は、図１〜４に示したように、屈曲可能なフレキシブルチューブ１の先端に磁石２を設けると共に、この磁石２を通り越して磁石２の先端から出没自在とした摘み部材３を設けたものとしている。
【００１３】
前記フレキシブルチューブ１は、図２に示したように、先端側に摘み部材３を収納する収納パイプ４が取り付けられると共に、この収納パイプ４の先端に磁石２を保持する保持体５を螺着したものとしている。この保持体５は、先端側に磁石２の保持溝６を設けると共に後端側に摘み部材３の挿通孔７を設けたものとしている。
【００１４】
前記磁石２は、円筒形状またはリング形状として、この磁石２の中心部を前記摘み部材３が挿通することにより、この磁石２を通り越すようにしている。また、前記磁石２は、半円柱形状として、この磁石２の平面側部の横を前記摘み部材３が通り越すようにするなど、磁石２を適当な形状にして、この磁石２を前記摘み部材３が通り越すようにすることができる。さらに、この磁石２は、前記したように収納パイプ４に螺着した保持体５に保持されたものとしているので、この保持体５ごと収納パイプ４から外すと、例えば磁石２の中心部などに金属粉がついた場合などには、その金属粉の掃除がし易くなり、このような場合に磁石２の磁力を低下させることなく使用することができるものとなる。
【００１５】
前記摘み部材３は、フレキシブルチューブ１の後端に設けた操作部材８から、このフレキシブルチューブ１内を摺動可能に挿通するフレキシブルロッド９により遠隔操作して、摘み動作するようにしている。この摘み部材３は、弾性線材で形成され、先端をフック状とした複数の摘み体１０とし、前記フレキシブルロッド９の先端に連結されたスライダー１１に取り付けたものとしている。摘み体１０は、フレキシブルロッド９により前記収納パイプ４内を前後に摺動するスライダー１１によって、収納パイプ４から出し入れされ、スライダー１１の後退時には保持体５の挿通孔７の内壁によって締め付けられて閉じられ、スライダー１１の前進時には収納パイプ４から突出した摘み部材３の摘み体１０がその弾性力によって開かれるようになっている。なお、前記したように磁石２を保持体５ごと収納パイプ４から外した場合にも、摘み部材３を操作することができる。この場合、摘み部材３は、前記スライダー１１の後退時には収納パイプ４の開口端４ａによって締め付けられて閉じられる。何れにしても、前記摘み部材３が閉じられる場合には、磁石２に接触しないので、この摘み部材３が磁化してその動作が鈍くなるようなことはなく、また磁石２が傷つけられて破損するようなこともないものとなる。
【００１６】
前記操作部材８は、フレキシブルチューブ１の後端に設けた略Ｔ字形状のグリップ１２内に、前記フレキシブルロッド９の後端に連結され、このグリップ１２内に設けられたスプリング（図示せず）の弾性力によって、グリップ１２内を摺動してこのグリップ１２から出し入れされるプッシュロッド１３を取り付けたものとしている。
【００１７】
この発明の捕捉工具は、以上のように構成しているので、手を入れにくい所に落としたり、直接手で掴むことのできないものが磁石に吸着する金属部材ａであれば、その落とした場所や直接手で掴むことのできないものの傍にフレキシブルチューブ１を導入し、その金属部材ａにフレキシブルチューブ１の先端に設けた磁石２を近づければ、金属部材ａを吸着することができ、その状態でフレキシブルチューブ１を引き出せば、その金属部材ａを拾い上げることができる（図５参照）。
【００１８】
また、この発明の捕捉工具は、手を入れにくい所に落としたり、直接手で掴むことのできないものが非金属部材（図示せず）や、磁石に吸着しない金属部材ｂである場合には、その落とした場所にフレキシブルチューブ１を導入し、操作部材８のプッシュロッド１３を指で押さえて、グリップ１２内に押し込めば、プッシュロッド１３に連結されたフレキシブルロッド９により収納パイプ４内を摺動するスライダー１１の前進によって、摘み部材３の摘み体１０が収納パイプ４から突出し、その突出した摘み体１０が弾性力によって開く。そして、複数の摘み体１０が開いた状態で、前記非金属部材や金属部材ｂに近づけて、操作部材８のプッシュロッド１３から指を放せば、グリップ１２内に設けられたスプリングの弾性力によって、そのプッシュロッド１３がグリップ１２内から押し出され、プッシュロッド１３に連結されたフレキシブルロッド９により収納パイプ４内を摺動するスライダー１１の後退によって、摘み部材３の摘み体１０が収納パイプ４内に引き込まれながら閉じていくので、このときに摘み体１０によって前記非金属部材や金属部材ｂが摘まれ、その状態でフレキシブルチューブ１を引き出せば、その非金属部材や金属部材ｂを拾い上げることができる（図６参照）。
【００１９】
なお、この発明の捕捉工具は、手を入れにくい所に落としたり、直接手で掴むことのできないものが磁石に吸着する金属部材ａであっても、前記したのと同様に操作すれば、摘み部材３の摘み体１０によってその金属部材ａを摘んで、拾い上げることができるのはいうまでもない。
【図面の簡単な説明】
【００２０】
【図１】この発明の捕捉工具の一部を省略して示す側面図である。
【図２】この発明の捕捉工具の先端部の断面図である。
【図３】この発明の捕捉工具の先端部の斜視図であり、摘み部材が閉じた状態を示している。
【図４】この発明の捕捉工具の先端部の斜視図であり、摘み部材が開いた状態を示している。
【図５】この発明の捕捉工具の一使用状態を示す斜視図である。
【図６】この発明の捕捉工具の他の使用状態を示す斜視図である。
【図７】従来の捕捉工具の一例を示す側面図である。
【図８】従来の捕捉工具の使用状態を示す側面図である。
【符号の説明】
【００２１】
１  フレキシブルチューブ
２  磁石
３  摘み部材
８  操作部材
９  フレキシブルロッド
【図１】
2005138196.tif 000003
【図２】
2005138196.tif 000004
【図３】
2005138196.tif 000005
【図４】
2005138196.tif 000006
【図５】
2005138196.tif 000007
【図６】
2005138196.tif 000008
【図７】
2005138196.tif 000009
【図８】
2005138196.tif 000010